(57)【要約】      （修正有）【課題】書物のサイズに捉われなく、簡単に書物に取付けられ、保護カバー内に物が入らない、付箋紙保護カバーを提供する。【解決手段】書物１の本紙に貼付けられ小口部分から張出した付箋紙６を覆う付箋紙保護カバーＡであって、開口部を備え開口部から閉じた書物の小口部分を挿入させることで付箋紙を格納して付箋紙を覆う袋形状のカバー７と、カバーに書物を挿入させるに書物の上下端部の小口に当接して所定以上の挿入を規制し、カバー内に付箋紙を格納する空間を確保するストッパー８と、カバーの開口部から閉じた書物の小口部分を挿入させたときにカバーの開口部に配置されて書物の表表紙と裏表紙間で前記カバーを書物に把持させる把持部とを備える。【選択図】図４
0003184487.tif 000002
【実用新案登録請求の範囲】
【請求項１】
書物の本紙に貼付けられ小口部分から張出した付箋紙を覆う付箋紙保護カバーであって、開口部を備え開口部から閉じた書物の小口部分を挿入させることで付箋紙を格納して付箋紙を覆う袋形状のカバーと、前記カバーに書物を挿入させるに書物の上下端部の小口に当接して所定以上の挿入を規制し前記カバー内に付箋紙を格納する空間を確保するストッパーと、前記カバーの開口部から閉じた書物の小口部分を挿入させたときに前記カバーの開口部に配置されて書物の表表紙と裏表紙間で前記カバーを書物に把持させる把持部とを備えたことを特徴とする付箋紙保護カバー。
【請求項２】
請求項１において、前記把持部は、カバーの開口部に配置され当該開口部内に挿入させた書物の表表紙と裏表紙間を挟むクリップで構成され、前記クリップは前記開口部のカバー材を折り曲げて弾性機能を有するようカバーと一体形成させるとともに、前記ストッパーを前記カバーの上下端部に一対配置させたことを特徴とする付箋紙保護カバー。
【請求項３】
請求項１において、前記把持部は、カバーの開口部に配置され当該開口部内に挿入させた書物の表表紙と裏表紙間を挟むクリップで構成され、当該クリップは書物の小口部分における上下端部を挟むよう開口部の上下端部に配置させるとともに、前記ストッパーを前記カバーの上下端部に一対配置させたことを特徴とする付箋紙保護カバー。
【請求項４】
請求項１乃至請求項３において、前記ストッパーは、カバー外壁の一部をカバー内に窪ませてカバーと一体形成していること特徴とする付箋紙保護カバー。
【請求項５】
請求項１において、前記把持部をカバーの開口部に配置され当該開口部内に挿入させた書物の表表紙と裏表紙間を挟むクリップで構成し、当該クリップを前記開口部のカバー材を折り曲げて弾性機能と前記ストッパー機能を有するようカバーと一体形成させ書物の小口部分における上下端部を挟むとともに書物の所定以上の挿入を規制するよう前記カバーの開口部上下端部に配置されていることを特徴とする付箋紙保護カバー。
【請求項６】
請求項１において、前記把持部をカバーの開口部に配置され当該開口部内に挿入させた書物の表表紙と裏表紙間を挟むクリップで構成し、当該クリップを断面コの字状クリップとし当該クリップに書物の小口部分を挿入したときに書物の小口が当接する断面コの字状クリップの奥底部分を前記ストッパーとし書物の小口部分における上下端部を挟むとともに書物の所定以上の挿入を規制するよう前記カバーの開口部上下端部に配置されていることを特徴とする付箋紙保護カバー。
【考案の詳細な説明】
【技術分野】
【０００１】
書物の本紙に貼付けられ小口部分から張出した付箋紙を覆う付箋紙保護カバーに関するものである。
【背景技術】
【０００２】
この付箋紙保護カバーに酷似した技術として、冊子１００の本紙に貼付け小口１００ａより張出した見出しラベル１０２を保護するようにした冊子用保護カバーＸがある。この冊子用保護カバーＸは、図２２〜図２４に図示するように、一枚の矩形の合成樹脂シートより成り、カバーシート本体１０１の側縁を裏面側に折返して袋部１０３を形成し、冊子１００の表表紙１０４と裏表紙１０５を差し込むようにしている。カバーシート本体１０１の両側縁には、見出し保護用の張出し部１０６が形成されている。
【０００３】
このようになっている冊子用保護カバーＸは、カバーシート本体１０１の側縁に形成した袋部１０３に冊子１００の表表紙１０４と裏表紙１０５とを差し込み、カバーシート本体１０１の中央部１０７に冊子１００の背が位置するようにして、冊子用保護カバーＸを冊子１００に取付ける。そして、冊子１００の表紙を挟み込んでいるカバーの表側の張出し部１０６と冊子の裏表紙を挟み込んでいるカバーの裏側の張出し部１０６とにより見出しラベル１０２を間に挟んで保護する。（特許文献１）
【先行技術文献】
【特許文献】
【０００４】
【特許文献１】実開平２−２７３６５号公報
【考案の概要】
【考案が解決しようとする課題】
【０００５】
上記冊子用保護カバーＸは、冊子１００の小口１００ａから張出した見出しラベル１０２を保護するものであるが、書物の本紙に貼付けた小口部分から張出した付箋紙を同様にして保護するようにすることができる。ところが、上記冊子用保護カバーＸを付箋紙保護カバーとして使用するには次のような課題を有している。
【０００６】
まず、上記冊子用保護カバーＸは、カバーシート本体１０１の側縁に形成した袋部１０３に冊子１００の表表紙１０４と裏表紙１０５とを差し込み、カバーシート本体１０１の中央部１０７に冊子１００の背が位置するようにして、冊子用保護カバーＸを冊子１００に取付けるようにしてあるものだから、冊子１００のサイズ（冊子の大きさ、厚さ）に合った冊子用保護カバーＸを選定し、冊子１００に選定した冊子用保護カバーＸを取付けなければならない。
【０００７】
また、上記冊子用保護カバーＸを冊子１００に取付けるには、カバーシート本体１０１の側縁に形成した袋部１０３に冊子１００の表表紙１０４と裏表紙１０５とを差し込まねばならず、取付けが面倒な構造である。
更に、上記冊子用保護カバーＸは、冊子１００の表紙を挟み込んでいる冊子用保護カバーＸの表側の張出し部１０６と冊子の裏表紙を挟み込んでいる冊子用保護カバーＸの裏側の張出し部１０６とにより見出しラベル１０２を間に挟んで保護するものであるが、冊子用保護カバーＸの裏側と表側の張出し部１０６間は開口しており、この開口部分から物が入り込み、見出しラベル１０２を折ったり、曲げたり、破損することがあった。
【０００８】
本考案は、書物のサイズに捉われなく、簡単に書物に取付けられ、保護カバー内に物が入らない、付箋紙保護カバーを提供するものである。
【課題を解決するための手段】
【０００９】
請求項１の付箋紙保護カバーは、書物の本紙に貼付けられ小口部分から張出した付箋紙を覆う付箋紙保護カバーであって、開口部を備え開口部から閉じた書物の小口部分を挿入させることで付箋紙を格納して付箋紙を覆う袋形状のカバーと、前記カバーに書物を挿入させるに書物の上下端部の小口に当接して所定以上の挿入を規制し前記カバー内に付箋紙を格納する空間を確保するストッパーと、前記カバーの開口部から閉じた書物の小口部分を挿入させたときに前記カバーの開口部に配置されて書物の表表紙と裏表紙間で前記カバーを書物に把持させる把持部とを備えたことを特徴とする。
請求項２の付箋紙保護カバーは、請求項１において、前記把持部は、カバーの開口部に配置され当該開口部内に挿入させた書物の表表紙と裏表紙間を挟むクリップで構成され、前記クリップは前記開口部のカバー材を折り曲げて弾性機能を有するようカバーと一体形成させるとともに、前記ストッパーを前記カバーの上下端部に一対配置させたことを特徴とする。
請求項３の付箋紙保護カバーは、請求項１において、前記把持部は、カバーの開口部に配置され当該開口部内に挿入させた書物の表表紙と裏表紙間を挟むクリップで構成され、当該クリップは書物の小口部分における上下端部を挟むよう開口部の上下端部に配置させるとともに、前記ストッパーを前記カバーの上下端部に一対配置させたことを特徴とする。
請求項４の付箋紙保護カバーは、請求項１乃至請求項３において、前記ストッパーは、カバー外壁の一部をカバー内に窪ませてカバーと一体形成していること特徴とする。
請求項５の付箋紙保護カバーは、請求項１において、前記把持部をカバーの開口部に配置され当該開口部内に挿入させた書物の表表紙と裏表紙間を挟むクリップで構成し、当該クリップを前記開口部のカバー材を折り曲げて弾性機能と前記ストッパー機能を有するようカバーと一体形成させ書物の小口部分における上下端部を挟むとともに書物の所定以上の挿入を規制するよう前記カバーの開口部上下端部に配置されていることを特徴とする。
請求項６の付箋紙保護カバーは、請求項１において、前記把持部をカバーの開口部に配置され当該開口部内に挿入させた書物の表表紙と裏表紙間を挟むクリップで構成し、当該クリップを断面コの字状クリップとし当該クリップに書物の小口部分を挿入したときに書物の小口が当接する断面コの字状クリップの奥底部分を前記ストッパーとし書物の小口部分における上下端部を挟むとともに書物の所定以上の挿入を規制するよう前記カバーの開口部上下端部に配置されていることを特徴とする。
【考案の効果】
【００１０】
請求項１に記載の付箋紙保護カバーは、カバーの開口部から閉じた書物の小口部分を挿入し、書物の小口がストッパーに当接するまで挿入し、前記カバーの開口部に配置された把持部により書物の表表紙と裏表紙間で前記カバーを書物に把持させて、書物の本紙に貼付けられ小口部分から張出した付箋紙をカバー内の空間に格納する。したがって、書物の小口部分をカバーの開口部に挿入し、把持部により書物の表表紙と裏表紙間を前記カバー把持させるだけで、簡単に付箋紙保護カバーを取付けることができる。そして付箋紙は袋形状のカバーの空間内で覆われて保護するものであるから、カバー内に物が進入するのを阻止し、付箋紙が折れたり、曲がったり、破損するのを防止できる。また、書物の小口を付箋紙保護カバーの開口部に挿入させる構造であるので、書物のサイズに捉われず書物に付箋紙保護カバーを取付けることができる。
【００１１】
請求項２に記載の付箋紙保護カバーは、前記把持部は、カバーの開口部に配置され当該開口部内に挿入させた書物の表表紙と裏表紙間を挟むクリップで構成され、前記クリップは前記開口部のカバー材を折り曲げて弾性機能を有するようカバーと一体形成させたものであるから、書物を把持させるクリップをカバー材で形成することができ、簡単な構成の安価な付箋紙保護カバーを提供することができる。また、ストッパーはカバーの上下端部に一対配置させたものであるから、本紙に貼付けられ小口の中央部分から張出した付箋紙をカバー内の空間に格納して、付箋紙をカバーで覆うことができ、付箋紙が折れたり、曲がったりするのを防止できる。
【００１２】
請求項３に記載の付箋紙保護カバーは、前記把持部は、カバーの開口部に配置され当該開口部内に挿入させた書物の表表紙と裏表紙間を挟むクリップで構成され、当該クリップは書物の小口部分における上下端部を挟むよう開口部の上下端部に配置させるとともに、前記ストッパーを前記カバーの上下端部に一対配置させたものであるから、本紙に貼付けられ小口の中央部分から張出した付箋紙をカバー内の空間に格納して、付箋紙をカバーで覆うことができ、付箋紙が折れたり、曲がったりするのを防止できる。
【００１３】
請求項４に記載の付箋紙保護カバーは、請求項１乃至請求項３において、前記ストッパーは、カバー外壁の一部をカバー内に窪ませてカバーと一体形成しているものであるから、ストッパーをカバー材で形成することができ、簡単な構成の安価な付箋紙保護カバーを提供することができる。
【００１４】
請求項５に記載の付箋紙保護カバーは、把持部をカバーの開口部に配置され当該開口部内に挿入させた書物の表表紙と裏表紙間を挟むクリップで構成し、当該クリップを前記開口部のカバー材を折り曲げて弾性機能と前記ストッパー機能を有するようカバーと一体形成させ書物の小口部分における上下端部を挟むとともに書物の所定以上の挿入を規制するよう前記カバーの開口部上下端部に配置されているものであるから、カバーに把持部とストッパーを一体形成することができ、簡単な構成の安価な付箋紙保護カバーを提供することができる。
【００１５】
請求項６に記載の付箋紙保護カバーは、把持部をカバーの開口部に配置され当該開口部内に挿入させた書物の表表紙と裏表紙間を挟むクリップで構成し、当該クリップを断面コの字状クリップとし当該クリップに書物の小口部分を挿入したときに書物の小口が当接する断面コの字状クリップの奥底部分を前記ストッパーとし書物の小口部分における上下端部を挟むとともに書物の所定以上の挿入を規制するよう前記カバーの開口部上下端部に配置されているものであるから、クリップで把持機能とストッパー機能を持たすことができる付箋紙保護カバーを提供することができる。
【図面の簡単な説明】
【００１６】
【図１】本考案に係る第１実施例の付箋紙保護カバーＡを図示し、付箋紙保護カバーＡを書物に挿入する前の状態を断面図で説明する説明図である。
【図２】本考案に係る第１実施例の付箋紙保護カバーＡを図示し、付箋紙保護カバーＡを書物に挿入する途中を断面図で説明する説明図である。
【図３】本考案に係る第１実施例の付箋紙保護カバーＡを図示し、付箋紙保護カバーＡを書物に挿入完了した状態を断面図で説明する説明図である。
【図４】本考案に係る第１実施例の付箋紙保護カバーＡの全体を斜視図で図示し、クリップをカバーの上下端部に一対配置した場合を説明する説明図である。
【図５】本考案に係る第２実施例の付箋紙保護カバーＢの全体を斜視図で図示し、クリップをカバーの全長長さにした場合を説明する説明図である。
【図６】本考案に係る第３実施例の付箋紙保護カバーＣを図示し、付箋紙保護カバーＣを書物に挿入完了した状態を断面図で説明する説明図である。
【図７】本考案に係る第４実施例の付箋紙保護カバーＤを図示し、付箋紙保護カバーＤを書物に挿入完了した状態を断面図で説明する説明図である。
【図８】本考案に係る第５実施例の付箋紙保護カバーＥを図示し、付箋紙保護カバーＥを書物に挿入完了した状態を断面図で説明する説明図である。
【図９】本考案に係る第６実施例の付箋紙保護カバーＦを図示し、付箋紙保護カバーＦを書物に挿入する前の状態を断面図で説明する説明図である。
【図１０】本考案に係る第６実施例の付箋紙保護カバーＦを図示し、付箋紙保護カバーＦを書物に挿入する途中を断面図で説明する説明図である。
【図１１】本考案に係る第６実施例の付箋紙保護カバーＦを図示し、付箋紙保護カバーＦを書物に挿入完了した状態を断面図で説明する説明図である
【図１２】本考案に係る第６実施例の付箋紙保護カバーＦの全体を斜視図で図示し、クリップをカバーの上下端部に一対配置した場合を説明する説明図である。
【図１３】本考案に係る第７実施例の付箋紙保護カバーＧを図示し、付箋紙保護カバーＧを書物に挿入完了した状態を断面図で説明する説明図である。
【図１４】本考案に係る第８実施例でバインダークリップを用いた付箋紙保護カバーＨを図示し、付箋紙保護カバーＨを書物に挿入する前の状態を断面図で説明する説明図である。
【図１５】本考案に係る第８実施例でバインダークリップを用いた付箋紙保護カバーＨを図示し、付箋紙保護カバーＨを書物に挿入完了した状態を断面図で説明する説明図である。
【図１６】本考案に係る第８実施例でバインダークリップを用いた付箋紙保護カバーＨを図示し、付箋紙保護カバーＨを書物に挿入完了した状態で、バインダークリップの取手を折り返した状態を断面図で説明する説明図である。
【図１７】本考案に係る第８実施例でバインダークリップを用いた付箋紙保護カバーＨの全体を斜視図で図示し、バインダークリップをカバーの上下端部に一対配置した場合を説明する説明図である。
【図１８】本考案に係る第９実施例でスライド式のクリップを用いた付箋紙保護カバーＩを図示し、付箋紙保護カバーＩを書物に挿入する前の状態を断面図で説明する説明図である。
【図１９】本考案に係る第９実施例でスライド式のクリップを用いた付箋紙保護カバーＩを図示し、付箋紙保護カバーＩを書物に挿入する途中の状態を断面図で説明する説明図である。
【図２０】本考案に係る第９実施例でスライド式のクリップを用いた付箋紙保護カバーＩを図示し、付箋紙保護カバーＩを書物に挿入完了した状態を断面図で説明する説明図である。
【図２１】本考案に係る第９実施例でスライド式のクリップを用いた付箋紙保護カバーＩの全体を斜視図で図示し、スライド式のクリップをカバーの上下端部に一対配置した場合を説明する説明図である。
【図２２】従来の技術を説明する説明図として冊子用保護カバーＸを説明する説明図で、冊子用保護カバーＸを広げた状態を示す斜視図である。
【図２３】冊子用保護カバーＸの一部拡大断面図である。
【図２４】冊子用保護カバーＸの使用状態を説明する斜視図である。
【考案を実施するための形態】
【実施例１】
【００１７】
本考案に係る第１実施例の付箋紙保護カバーＡを図１〜図３に図示し以下に説明する。図１は、本考案に係る付箋紙保護カバーＡを書物に挿入する前の状態を説明する図で、図２は、付箋紙保護カバーＡを書物に挿入する途中を説明する図であり、図３は付箋紙保護カバーＡを書物に挿入完了した状態を説明する図である。
【００１８】
書物１は、書籍、ノート、等で、表表紙２、裏表紙３、本紙４、を備えている。書物１の小口５部分からは本紙４に貼付けた付箋紙６が張出している。付箋紙保護カバーＡは、カバー７、ストッパー８、把持部９を備えている。カバー７は、開口部１０を備え、開口部１０から閉じた書物１の小口５部分を挿入させることで付箋紙６を格納して付箋紙６を覆う袋形状になっている。
【００１９】
カバー７の開口部１０には、前記カバー７の開口部８から閉じた書物１の小口５部分を挿入させたときに前記カバー７の開口部１０に配置されて書物１の表表紙２と裏表紙３間で前記カバー７を書物１に把持させる把持部９が形成されている。この把持部９は、前記開口部１０のカバー７材を内側に折り曲げ、開口部１０に書物１の小口５に挿入すると、折り曲げ部分が撓み、書物１の表表紙２と裏表紙３間を挟み、書物１を把持させるよう弾性機能を有するようカバー７と一体形成させたクリップ１１で構成している。このクリップ１１は、図４の全体斜視図に図示するようにカバー７の上下端部に一対配置している。そして、カバー７材は、プラスチック、塩化ビニール、ポリエステル、等の合成樹脂シート、金属シート、などの材質で形成される。
【００２０】
ストッパー８は、書物１の小口５部分を前記カバー７の開口部１０に挿入させたときに、本紙４に貼付けた付箋紙６をカバー７内の空間１２に位置させ、曲がったり、折れたりしない位置で書物１の挿入を規制させるストッパーで、カバー７と同じ材質で形成されている。すなわち、ストッパー８の配置は、書物１の小口５から張出した付箋紙６の長さ分の空間１２を確保するよう、前記カバー７内にカバー７の挿入奥端からの取付け位置を決定している。そして、ストッパー８は、カバー７の上下端部に一対配置することで、書物１の本紙４に貼付けられ小口５の中央部分から張出した付箋紙６をカバー７内の空間１２に格納できるようにしている。
【００２１】
このように構成された付箋紙保護カバーＡは、次のように作用する。まず、図１に図示する付箋紙保護カバーＡを書物１に挿入する前の状態から、図２に図示するように、カバー７の開口部１０から閉じた書物１の小口５部分を挿入する。すると、書物１の小口５部分の挿入により、クリップ１１の折り曲げ部分が撓み、書物１の表表紙２と裏表紙３間を挟み、折り曲げ部分の弾性機能により書物１を挟み把持させる。次に、図３に図示するように、書物１の小口５がストッパー８に当接するまでさらに挿入する。書物１の表表紙２と裏表紙３間をクリップ１１で挟み把持させた状態で、書物１の本紙４に貼付けられ小口５部分から張出した付箋紙６をカバー７内の空間１２に格納し、書物１に付箋紙保護カバーＡの取付けを完了する。
【００２２】
このようにして書物１に付箋紙保護カバーＡを取付けるものであるから、書物１に付箋紙保護カバーＡを簡単に取付けることができる。そして付箋紙６は袋形状のカバー７の空間１２内で覆われて保護するものであるから、カバー７内に物が進入するのを阻止し、付箋紙６が折れたり、曲がったりするのを防止できる。また、書物１の小口５を付箋紙保護カバーＡの開口部１０に挿入させる構造であるので、書物１のサイズに捉われず書物１に付箋紙保護カバーＡを取付けることができる。
【実施例２】
【００２３】
上記第１実施例の付箋紙保護カバーＡのクリップ１１は、カバー７の上下端部に一対配置したが、図５に図示するようにカバー７の上端から下端までの全長長さのクリップ１３として一体形成するようにした付箋紙保護カバーＢであってもよい。このような全長長さのクリップ１３を用いることで、書物１１に付箋紙保護カバーＢを強固に把持させることができる。
【実施例３】
【００２４】
上記第１、２実施例では、ストッパー８をカバー７内に取付けた場合を説明したが、ストッパーをカバー７の外壁の一部をカバー７内に窪ませてカバー７と一体形成してもよい。この場合を第３実施例〜第５実施例として図６〜図８に図示し以下に説明する。図６は、第３実施例の付箋紙保護カバーＣ図示するものである。この付箋紙保護カバーＣは、カバー７の側面の外壁を内側に窪ませ、ストッパー２０を形成させて付箋紙６を格納する空間２１を確保したものである。この場合、第１実施例とストッパーが相違するだけで、同様に作用することは容易に想定できるので、詳細な作用の説明は省略する。この実施例の場合、ストッパー２０をカバー７材で一体形成することができ、第１実施例のようにカバー７にストッパー８を取付ける必要がなく、簡単な構成の安価な付箋紙保護カバーＣを提供することができる。
【実施例４】
【００２５】
次に、付箋紙保護カバーＣは、付箋紙６を格納する空間２１を断面四角形状にしたカバー７であるが、書物１の小口５から張出す付箋紙６は、書物１の厚さになるほど大量に貼付けないものであるから、図７に第４実施例として図示する付箋紙保護カバーＤのように、付箋紙６を格納する空間２２を断面略三角形状にしたカバー２３で形成したものであってもよい。このようにすることで付箋紙保護カバーＤの厚さを薄くできる。
【実施例５】
【００２６】
また、上記付箋紙保護カバーＣ、Ｄは、カバー７，２３の側面の外壁を内側に窪ませストッパー２０を形成させたものであるが、図８に第５実施例として図示するように、前記カバー７の挿入奥端の外壁からの内側に窪ませてストッパー２４をカバー２５材で一体形成させて、付箋紙６を格納する空間２６を確保するようにした付箋紙保護カバーＥであってもよい。この場合、第１実施例とストッパーが相違するだけで、同様に作用することは容易に想定できるので、詳細な作用の説明は省略する。この第５実施例の場合も、ストッパー２４をカバー２５材で一体形成することができ、第１実施例のようにカバー７にストッパー８を取付ける必要がなく、簡単な構成の安価な付箋紙保護カバーＥを提供することができる。
【実施例６】
【００２７】
次に、上記実施例では、ストッパーをカバー７内に取付けたり、カバーの外壁を内側に窪ませたりして配置し、付箋紙６を格納する空間を確保するようにしたが、図９〜図１２に第６実施例として図示するように、上記把持部９のクリップ１１に配置した付箋紙保護カバーＦであってもよい。すなわち、前記開口部３１のカバー３２材を内側に折り曲げ、さらにその先端部を略直交方向に折り曲げてＬ字状にしたストッパー３０をカバー３２材に一体形成したもので、カバー３２材の開口部３１の折り曲げで把持機能とストッパー機能も有するようにしたものである。この折り曲げは、図１２の全体斜視図に図示するように、カバー３２の上下端部に一対配置しているので、書物１の本紙４の上下中央部に貼付けた付箋紙６をストッパー３０が干渉することはない。そして、カバー７の開口部３１から閉じた書物１の小口５部分を挿入し、書物１の表表紙２と裏表紙３間を挟み、折り曲げ部分の弾性機能により書物１を挟み把持させ、図１１に図示するように、書物１の小口５がストッパー３０に当接するまでさらに挿入したときに、書物１の小口５部から張出した付箋紙６が前記カバー３２の挿入奥端までの空間３３に格納できるようにしている。
【００２８】
このように構成された付箋紙保護カバーＦは、次のように作用する。まず、図９に図示する付箋紙保護カバーＦを書物１に挿入する前の状態から、図１０に図示するように、カバー３２の開口部３１から閉じた書物１の小口５部分を挿入する。すると、書物１の小口５部分の挿入により、クリップ１１の折り曲げ部分が撓み、書物１の表表紙２と裏表紙３間を挟み、折り曲げ部分の弾性機能により書物１を挟み把持させる。次に、図１１に図示するように、書物１の小口５がストッパー３０に当接するまでさらに挿入する。書物１の表表紙２と裏表紙３間をクリップ１１で挟み把持させた状態で、書物１の本紙４に貼付けられ小口５部分から張出した付箋紙６をカバー３２内の空間３３に格納し、書物１に付箋紙保護カバーＦの取付けを完了する。
【００２９】
このようにして書物１に付箋紙保護カバーＦを取付けるものであるから、書物１に付箋紙保護カバーＦを簡単に取付けることができる。そして付箋紙６は袋形状のカバー７の空間３３内で覆われて保護するものであるから、カバー３２内に物が進入するのを阻止し、付箋紙６が折れたり、曲がったりするのを防止できる。また、書物１の小口５を付箋紙保護カバーＦの開口部３１に挿入させる構造であるので、書物１のサイズに捉われず書物１に付箋紙保護カバーＦを取付けることができる。特に、カバー３２材の開口部３１の折り曲げで把持機能とストッパー機能も有するようにカバー３２と一体形成しているので、簡単な構成の安価な付箋紙保護カバーＦを提供することができる。
【実施例７】
【００３０】
なお、付箋紙保護カバーＦは、付箋紙６を格納する空間３３を形成するカバー３２を断面四角形形状にしたものであるが、書物１の小口５から張出す付箋紙６は、書物１の厚さになるほど大量に貼付けないものであるから、図１３に第７実施例として図示する付箋紙保護カバーＧのように、付箋紙６を格納する空間３４を形成するカバー３５を断面略三角形状にしたものであってもよい。このようにすることで付箋紙保護カバーＧの厚さを薄くできる。
【実施例８】
【００３１】
上記第１実施例〜第７実施例では、書物１を把持するクリップ１１をカバー７，２３，２５，３２，３５に一体形成した場合で説明したが、カバーとは別に専用のクリップを備えた場合の付箋紙保護カバーＨ、について、以下に説明する。図１４〜図１７に第８実施例として図示するように、付箋紙保護カバーＨは、前記把持部のクリップとして断面コの字状のバインダークリップ４０を用いたもので、図１６に図示するように袋形状のカバー４１の開口部４２の上下端部にバインダークリップ４０を一対取付けたものである。そしてバインダークリップ４０に書物１の小口５部分を挿入し、書物１の小口５が断面コの字状のバインダークリップ４０のクリップの奥底部分に当接するまで挿入して、書物１を把持するとともに断面コの字状のバインダークリップ４０のクリップの奥底部分をストッパー４３とするものである。そして、図１７に図示するように、バインダークリップ４０は、カバー４１の上下端部にそれぞれ一対取付けている。袋形状のカバー４１は、書物１の小口５を断面コの字状のバインダークリップ４０のクリップの奥底部分に当接するまで挿入させて書物１を把持させたときに、書物１の小口５から張出した付箋紙６を格納する空間４４を確保した袋形状になっており、プラスチック、塩化ビニール、ポリエステル、等の合成樹脂シート、金属シート、などの材質で形成されている。
【００３２】
このように構成された付箋紙保護カバーＨは、次のように作用する。まず、図１４に図示する付箋紙保護カバーＨを書物１に挿入する前の状態から、バインダークリップ４０の取手４５をつかみ、バインダークリップ４０の口を開口させ、図１５に図示するように、カバー４１の開口部４２に取付けたバインダークリップ４０に閉じた書物１の小口５部分を挿入する。すると、書物１の小口５部分の挿入により、バインダークリップ４０により書物１の表表紙２と裏表紙３間を挟み、バインダークリップ４０の弾性機能により書物１を挟み把持させる。そして、図１５に図示するように、書物１の小口５がストッパー４３に当接するまで挿入し、書物１の表表紙２と裏表紙３間をバインダークリップ４０で挟み把持させた状態で、書物１の本紙４に貼付けられ小口５部分から張出した付箋紙６をカバー４１内の空間４４に格納し、書物１に付箋紙保護カバーＨの取付けを完了する。最後に、図１６に図示するように、バインダークリップ４０の取手４５を折り返しておく。
【００３３】
このようにして書物１に付箋紙保護カバーＨを取付けるものであるから、書物１に付箋紙保護カバーＨを簡単に取付けることができる。そして付箋紙６は袋形状のカバー４１の空間４４内で覆われて保護するものであるから、カバー４１内に物が進入するのを阻止し、付箋紙６が折れたり、曲がったりするのを防止できる。また、書物１の小口５を付箋紙保護カバーＨの開口部４２に取付けたバインダークリップ４０に挿入させる構造であるので、書物１のサイズに捉われず書物１に付箋紙保護カバーＨを取付けることができる。また、バインダークリップ４０に書物１の小口５部分を挿入したときに書物１の小口５が当接する断面コの字状のバインダークリップ４０の奥底部分をストッパー４３とするようにしたものであるから、バインダークリップ４０で把持機能とストッパー機能を持たすことができる付箋紙保護カバーＨを提供することができる。
【実施例９】
【００３４】
上記第９実施例では、書物１を把持するクリップとして断面コの字状のバインダークリップ４０を用いた場合で説明したが、スライド式のクリップを用いた場合の付箋紙保護カバーＩについて以下に説明する。図１８〜図２１に第９実施例として図示するように、付箋紙保護カバーＩは、把持部のクリップとして断面コの字状部材を二重に構成したスライド式のクリップ５０を用いたものである。すなわち、スライド式のクリップ５０の把持部５１は、断面コの字状の開口口５２の両先端部分を内側に折り曲げた折り曲げ部５３と、開口口５２から書物１の小口５部分を挿入し書物１の小口５が当接する奥底部分のストッパー５４と、開口口５２からストッパー５４間を外方に拡張させた拡張部５５とを備え、弾性部材で形成された第１クリップ５６と、第１クリップ５６を開口口５７から挿入し前記第１クリップ５６の拡張部５５を押さえ込み前記折り曲げ部５３を更に撓ませて書物１の小口５部分の把持力をアップさせる第２クリップ５８とで構成している。スライド式のクリップ５０の第１クリップ５６と第２クリップ５８は、金属、合成樹脂などの材質で形成されている。
【００３５】
そして図２１に図示するように袋形状のカバー５９の開口部６０に第２クリップ５８の側面を取付けるにあたって、袋形状のカバー５９の上下端部にそれぞれ一対取付けたものである。袋形状のカバー５９は、書物１の小口５を断面コの字状のスライド式のクリップ５０のストッパー５４に当接するまで挿入させて書物１を把持させたときに、書物１の小口５から張出した付箋紙６を格納する空間６１を確保した袋形状になっており、プラスチック、塩化ビニール、ポリエステル、等の合成樹脂シート、金属シート、などの材質で形成されている。
【００３６】
このように構成された付箋紙保護カバーＩは、次のように作用する。まず、図１８に図示する付箋紙保護カバーＩを書物１に挿入する前の状態から、図１９に図示するように、第１クリップ５６に書物１を挿入させ、第１クリップ５６の折り曲げ部５３を撓ませ、書物１の小口５部分をストッパー５４に当接させる。この状態から図２０に図示するように、第１クリップ５６を第２クリップ５８内に挿入させ、第１クリップ５６の拡張部５５を第２クリップ５８にて押さえ込み、第１クリップ５６の折り曲げ部５３を更に撓ませて書物１の小口５部分の把持力をアップさせて、書物１の表表紙２と裏表紙３間を挟み、スライド式のクリップ５０の弾性機能により書物１を挟み把持させる。そして、図２０に図示するように、書物１の小口５を断面コの字状のスライド式のクリップ５０の奥底部分であるストッパー５４に当接するまで挿入し、書物１の表表紙２と裏表紙３間をスライド式のクリップ５０で挟み把持させた状態で、書物１の本紙４に貼付けられ小口５部分から張出した付箋紙６をカバー５９内の空間６１に格納し、書物１に付箋紙保護カバーＩの取付けを完了する。
【００３７】
このようにして書物１に付箋紙保護カバーＩを取付けるものであるから、書物１に付箋紙保護カバーＩを簡単に取付けることができる。そして付箋紙６は袋形状のカバー５９の空間６１内で覆われて保護するものであるから、カバー５９内に物が進入するのを阻止し、付箋紙６が折れたり、曲がったりするのを防止できる。また、書物１の小口５を付箋紙保護カバーＩのスライド式のクリップ５０に挿入させる構造であるので、書物１のサイズに捉われず書物１に付箋紙保護カバーＩを取付けることができる。また、スライド式のクリップ５０に書物１の小口５部分を挿入したときに書物１の小口５が当接するスライド式のクリップ５０の奥底部分をストッパー５４とするようにしたものであるから、スライド式のクリップ５０で把持機能とストッパー機能を持たすことができる付箋紙保護カバーＩを提供することができる。
【符号の説明】
【００３８】
Ａ  付箋紙保護カバー
Ｂ  付箋紙保護カバー
Ｃ  付箋紙保護カバー
Ｄ  付箋紙保護カバー
Ｅ  付箋紙保護カバー
Ｆ  付箋紙保護カバー
Ｇ  付箋紙保護カバー
Ｈ  付箋紙保護カバー
Ｉ  付箋紙保護カバー
１  書物
２  表表紙
３  裏表紙
４  本紙
５  小口
６  付箋紙
７  カバー
８  ストッパー
９  把持部
１０  開口部
１１  クリップ
１２  空間
１３  クリップ
２０  ストッパー
２１  空間
２２  空間
２３  カバー
２４  ストッパー
２５  カバー
２６  空間
３０  ストッパー
３１  開口部
３２  カバー
３３  空間
３４  空間
３５  カバー
４０  バインダークリップ
４１  カバー
４２  開口部
４３  ストッパー
４４  空間
５０  スライド式クリップ
５１  把持部
５２  開口口
５３  折り曲げ部
５４  ストッパー
５５  拡張部
５６  第１クリップ
５７  開口口
５８  第２クリップ
５９  カバー
６０  開口部
６１  空間
【図１】
0003184487.tif 000003
【図２】
0003184487.tif 000004
【図３】
0003184487.tif 000005
【図４】
0003184487.tif 000006
【図５】
0003184487.tif 000007
【図６】
0003184487.tif 000008
【図７】
0003184487.tif 000009
【図８】
0003184487.tif 000010
【図９】
0003184487.tif 000011
【図１０】
0003184487.tif 000012
【図１１】
0003184487.tif 000013
【図１２】
0003184487.tif 000014
【図１３】
0003184487.tif 000015
【図１４】
0003184487.tif 000016
【図１５】
0003184487.tif 000017
【図１６】
0003184487.tif 000018
【図１７】
0003184487.tif 000019
【図１８】
0003184487.tif 000020
【図１９】
0003184487.tif 000021
【図２０】
0003184487.tif 000022
【図２１】
0003184487.tif 000023
【図２２】
0003184487.tif 000024
【図２３】
0003184487.tif 000025
【図２４】
0003184487.tif 000026